(57)【要約】【課題】商品を収容する際の人件費を抑えて商品の収容作業の効率を向上させ、かつ下方開口から商品を抜き取る犯罪を未然に防止する組立ケースを提供する。【解決手段】４枚の壁面板１１１Ａ〜１１４Ａの側端縁同士が折罫部２１Ａを介して連設された組立ケース主体１１Ａの後壁面板１１３Ａの下端縁に、基端側折罫部２３Ａを介して組立ケース副体１２Ａを連設する。組立ケース副体１２Ａは、基端側折罫部２３Ａを介して基端が連設された下蓋板１２１Ａと、下蓋板の先端に折罫部２４Ａを介して基端が連設され、前壁面板１１１Ａの外面に沿ってその上端縁まで先端が上方へ折り返される外側壁面板１２２Ａと、外側壁面板１２２Ａの先端に先端側折罫部２５Ａを介して連設された上蓋板１２３Ａとを備え、上方へ折り返された際に下方開口を閉塞するとともに、上蓋板１２３Ａの差込舌片１２４Ａを上方開口１４Ａに差し込んで当該上方開口１４Ａを閉塞している。【選択図】図３
2012017126.tif 000002
【特許請求の範囲】
【請求項１】
４枚の壁面板の側端縁同士が折罫部を介して折り曲げ自在に連設され、軸線を上下方向へ延ばすような４角筒状に組み立てられる組立ケース主体と、
上記組立ケース主体の各壁面板のうちの第１壁面板の下端縁に基端が基端側折罫部を介して折り曲げ自在に連設された組立ケース副体と、を備えており、
上記組立ケース副体は、その先端に先端側折罫部を介して折り曲げ自在に連設されかつ上記組立ケース主体の上方に開口する上方開口を閉塞する上蓋板と、この上蓋板の先端に折罫部を介して折り曲げ自在に連設された差込舌片と、を有し、上記基端側折罫部を介して上記組立ケース主体の各壁面板のうちの上記第１壁面板と対峙する第２壁面板に沿って上方へ折り返された際に上記組立ケース主体の下方に開口する下方開口を閉塞するとともに、上記上蓋板の差込舌片を上記上方開口に差し込んで当該上方開口を閉塞していることを特徴とする組立ケース。
【請求項２】
上記組立ケース副体は、
上記基端側折罫部を介して基端が折り曲げ自在に連設され、かつ上記下方開口を閉塞する下蓋板と、
上記下蓋板の先端に折罫部を介して基端が折り曲げ自在に連設され、上記第２壁面板の外面に沿って当該第２壁面板の上端縁まで先端が上方へ折り返される外側壁面板と、
を備えており、
上記上蓋板は、上記外側壁面板の先端に上記先端側折罫部を介して連設されている請求項１に記載の組立ケース。
【請求項３】
上記組立ケース副体は、
上記基端側折罫部を介して基端が折り曲げ自在に連設され、かつ上記下方開口を閉塞する下蓋板と、
上記下蓋板の先端に折罫部を介して基端が折り曲げ自在に連設され、上記第２壁面板の内面に沿って当該第２壁面板の上端縁まで先端が上方へ折り返される内側壁面板と、
を備えており、
上記上蓋板は、上記内側壁面板の先端に上記先端側折罫部を介して連設されている請求項１に記載の組立ケース。
【請求項４】
上記組立ケース副体は、
上記第１壁面板の下端縁に上記基端側折罫部を介して基端が折り曲げ自在に連設され、かつ上記下方開口を閉塞しつつ上記第２壁面板の内面に沿って当該第２壁面板の上端縁まで先端が上方へ折り返される下蓋兼用内側壁面板と、
を備えており、
上記上蓋板は、上記下蓋兼用内側壁面板の先端に上記先端側折罫部を介して連設されている請求項１に記載の組立ケース。
【発明の詳細な説明】
【技術分野】
【０００１】
本発明は、例えば、化粧品などの高額な商品が収容物として収容される組立ケースに関する。
【背景技術】
【０００２】
一般に、化粧品などの高額な商品が収容される組立ケースは、紙製又は硬質でかつ透明なプラスチック製などの１枚のブランクシートから一体的に打ち抜かれたケース形成片より組み立てられることがある。
このような組立ケースとしては、従来より、図１３に示すような組立ケース９が知られている（例えば、特許文献１参照）。この組立ケース９は、４枚の壁面板９１ａ〜９１ｄの側端縁同士が折罫部９２を介して折り曲げ自在に連設され、かつ軸線を上下方向へ延ばすように組み立てられる四角筒状の組立ケース主体９１を備えている。また、上記組立ケース９は、上記組立ケース主体９１の各壁面板９１ａ〜９１ｄのうちの第１壁面板９１ｃ（具体的には後側に位置する壁面板９１ｃ）の上端縁及び下端縁にそれぞれ折罫部９２を介して折り曲げ自在に連設された上蓋板９３及び下蓋板９４を備えている。上記上蓋板９３によって、上記組立ケース主体９１の上方に開口する上方開口を閉塞する一方、上記下蓋板９４によって、上記組立ケース主体９１の下方に開口する下方開口を閉塞している。この場合、上蓋板９３及び下蓋板９４は、それぞれ反壁面板９１ａ側（反折罫部９２側）の端縁に折罫部９５を介して折り曲げ自在に連設された差込舌片９３ａ，９４ａを有し、上記上蓋板９３及び下蓋板９４で上方開口及び下方開口を閉塞した際に組立ケース主体９１内に差し込まれる差込舌片９３ａ，９４ａによって、上蓋板９３及び下蓋板９４による上方開口及び下方開口の閉塞状態が保たれるようにしている。
【先行技術文献】
【特許文献】
【０００３】
【特許文献１】特開２００５−１５０２７号公報
【発明の概要】
【発明が解決しようとする課題】
【０００４】
ところで、組立ケース９は、四角筒状に組み立てた組立ケース主体９１を折り畳んだ状態で、数十個〜数百個単位で箱詰めされて商品の収納場所まで流通され、この商品の収納場所において組立ケース主体９１を箇々に復元させて商品を収容するようにしている。
その場合、組立ケース９への商品の収容手順としては、復元させた組立ケース主体９１の下蓋板９４で下方開口を閉塞した際に差し込まれる差込舌片９４ａによって下方開口の閉塞状態を確保してから、上方開口より商品を収容し、上蓋板９３で上方開口を閉塞する際に差し込まれた差込舌片９３ａによって上方開口の閉塞状態を確保するようにしている。
【０００５】
しかし、このような商品の収容手順では、復元させた組立ケース主体９１の下方開口に下蓋板９４の差込舌片９４ａを差し込んで当該下方開口を閉塞し、商品を収容してから、組立ケース主体９１の上方開口に上蓋板９３の差込舌片９３ａを差し込んで当該上方開口を閉塞しなければならない。つまり、組立ケース主体９１の下方開口及び上方開口を閉塞する際には、下方開口及び上方開口にそれぞれ上蓋板９３及び下蓋板９４の差込舌片９３ａ，９４ａを差し込んで当該下方開口及び上方開口を個別に閉塞しなければならない。そのため、組立ケース９に対する商品の収容作業に時間を要し、人件費が嵩む上、商品の収容作業の効率が悪いものとなる。
一方、組立ケースに収容された商品を陳列している商店では、商品のみを組立ケースから抜き取って万引きする犯罪が多発化している。これは、組立ケースから商品を抜き取る場合に目立ち難い下方開口を開放して行うケースが圧倒的に多く、その対策も切望されていた。
【０００６】
本発明は、かかる点に鑑みてなされたものであり、その目的とするところは、商品を収容する際の人件費を抑えて商品の収容作業の効率を向上させるとともに、下方開口から商品を抜き取る犯罪を未然に防止することができる組立ケースを提供することにある。
【課題を解決するための手段】
【０００７】
上記目的を達成するため、本発明では、組立ケースとして、４枚の壁面板の側端縁同士が折罫部を介して折り曲げ自在に連設され、軸線を上下方向へ延ばすような４角筒状に組み立てられる組立ケース主体と、上記組立ケース主体の各壁面板のうちの第１壁面板の下端縁に基端が基端側折罫部を介して折り曲げ自在に連設された組立ケース副体と、を備える。そして、上記組立ケース副体は、その先端に先端側折罫部を介して折り曲げ自在に連設されかつ上記組立ケース主体の上方に開口する上方開口を閉塞する上蓋板と、この上蓋板の先端に折罫部を介して折り曲げ自在に連設された差込舌片と、を有し、上記基端側折罫部を介して上記組立ケース主体の各壁面板のうちの上記第１壁面板と対峙する第２壁面板に沿って上方へ折り返された際に上記組立ケース主体の下方に開口する下方開口を閉塞するとともに、上記上蓋板の差込舌片を上記上方開口に差し込んで当該上方開口を閉塞している。
この特定事項により、商品の収容場所において４角筒状に組み立てた組立ケース主体が折り畳んだ状態から復元されると、第１壁面板の下端縁の基端側折罫部で組立ケース副体を折り曲げ、この折り曲げた組立ケース副体を上記第１壁面板と対峙する第２壁面板に沿って上方へ折り返すことによって、組立ケース主体の下方開口が閉塞される。このとき、組立ケース主体の上方開口を介して商品が収容される。そして、第２壁面板に沿って上方へ折り返される組立ケース副体の先端において先端側折罫部を介して上蓋板を折り曲げるとともに、この上蓋板の先端の折罫部を介して折り曲げた差込舌片を組立ケース主体の上方開口に差し込むことによって、当該上方開口が閉塞される。
【０００８】
このように、第１壁面板の下端縁の基端側折罫部で折り曲げた組立ケース副体を上記第１壁面板と対峙する第２壁面板に沿って上方へ折り返すことによって組立ケース主体の下方開口が閉塞され、その上方へ折り返した組立ケース副体の先端側折罫部を介して上蓋板を折り曲げるとともに、この上蓋板の先端の折罫部を介して折り曲げた差込舌片を組立ケース主体の上方開口を差し込めば、当該上方開口が閉塞されるので、組立ケース主体の下方開口及び上方開口を閉塞する際に、下蓋板の差込舌片を下方開口に差し込んで当該下方開口を閉塞する必要がなく、第２壁面板の上端縁まで上方へ折り返した組立ケース副体の先端において上蓋板の差込舌片を上方開口に差し込んで当該上方開口を閉塞するだけで済む。これにより、組立ケースへの商品の収容作業に要する時間が大幅に短縮され、人件費が削減される上、商品の収容作業の効率が図られることになる。
しかも、組立ケースの下方開口から商品を抜き取ろうとしても、上蓋板による上方開口の閉塞を解除しなければ下方開口を開放させることができないため、目立ち難い下方開口のみを開放して商品を抜き取る犯罪を未然に防止することが可能となる。
【０００９】
また、上記組立ケース副体に、上記基端側折罫部を介して基端が折り曲げ自在に連設され、かつ上記下方開口を閉塞する下蓋板と、上記下蓋板の先端に折罫部を介して基端が折り曲げ自在に連設され、上記第２壁面板の外面に沿って当該第２壁面板の上端縁まで先端が上方へ折り返される外側壁面板と、を設け、上記上蓋板を、上記外側壁面板の先端に上記先端側折罫部を介して連設していることが好ましい。
この場合には、商品の収容場所において４角筒状に組み立てた組立ケース主体が折り畳んだ状態から復元されると、第１壁面板の下端縁の基端側折罫部で組立ケース副体の下蓋板を折り曲げ、この折り曲げた下蓋板の先端に折罫部を介して基端が連設された外側壁面板を第２壁面板の外面に沿って当該第２壁面板の上端縁まで上方へ折り返すことによって、組立ケース主体の下方開口が下蓋板により閉塞される。このとき、組立ケース主体の上方開口を介して商品が収容される。そして、第２壁面板に沿って上方へ折り返された外側壁面板の先端において先端側折罫部を介して上蓋板を折り曲げ、この上蓋板の先端の折罫部を介して折り曲げた差込舌片を組立ケース主体の上方開口に差し込むと、当該上方開口が上蓋板によって閉塞される。
【００１０】
このように、組立ケース主体の第１壁面板の下端縁の基端側折罫部で下蓋板を折り曲げ、この折り曲げた下蓋板の先端の外側壁面板を第２壁面板の外面に沿って当該第２壁面板の上端縁まで上方へ折り返すことによって上記下方開口が閉塞され、その上方へ折り返した外側壁面板の先端側折罫部を介して上蓋板を折り曲げ、この上蓋板の先端の折罫部を介して折り曲げた差込舌片を上方開口に差し込むことによって、当該上方開口が閉塞されるので、下方開口及び上方開口を閉塞する際に、下蓋板の差込舌片を下方開口に差し込んで当該下方開口を閉塞する必要がなく、第２壁面板の上端縁まで上方へ折り返した外側壁面板の先端において上蓋板の差込舌片を上方開口に差し込んで当該上方開口を閉塞するだけで済む。これにより、組立ケースに対する商品の収容作業に要する時間が大幅に短縮され、人件費を削減することができる上、商品の収容作業の効率を図ることができる。
しかも、組立ケースから商品を抜き取ろうとしても、上蓋板による上方開口の閉塞を解除しなければ下方開口を開放させることができないため、目立ち難い下方開口のみを開放して商品を抜き取る犯罪を未然に防止することができる。
【００１１】
これに対し、上記組立ケース副体に、上記基端側折罫部を介して基端が折り曲げ自在に連設され、かつ上記下方開口を閉塞する下蓋板と、上記下蓋板の先端に折罫部を介して基端が折り曲げ自在に連設され、上記第２壁面板の内面に沿って当該第２壁面板の上端縁まで先端が上方へ折り返される内側壁面板と、を設け、上記上蓋板を、上記内側壁面板の先端に上記先端側折罫部を介して連設していてもよい。
この場合には、商品の収容場所において４角筒状に組み立てた組立ケース主体が折り畳んだ状態から復元されると、第１壁面板の下端縁の基端側折罫部で組立ケース副体の下蓋板を折り曲げ、この折り曲げた下蓋板の先端に折罫部を介して基端が連設された内側壁面板を第２壁面板の内面に沿って当該第２壁面板の上端縁まで上方へ折り返すことによって、組立ケース主体の下方開口が閉塞される。このとき、組立ケース主体の上方開口を介して商品が収容される。そして、第２壁面板に沿って上方へ折り返された内側壁面板の先端側折罫部を介して上蓋板を折り曲げ、この上蓋板の先端の折罫部を介して折り曲げた差込舌片を上方開口に差し込むと、当該上方開口が上蓋板によって閉塞される。
【００１２】
このように、組立ケース主体の第１壁面板の下端縁の基端側折罫部で下蓋板を折り曲げ、この折り曲げた下蓋板の先端の内側壁面板を第２壁面板の内面に沿って当該第２壁面板の上端縁まで上方へ折り返すことによって上記下方開口が閉塞され、その上方へ折り返した内側壁面板の先端側折罫部を介して上蓋板を折り曲げ、この上蓋板の先端の折罫部を介して折り曲げた差込舌片を上方開口に差し込むことによって、当該上方開口が閉塞されるので、下方開口及び上方開口を閉塞する際に、下蓋板の差込舌片を下方開口に差し込んで当該下方開口を閉塞する必要がなく、第２壁面板の上端縁まで上方へ折り返した内側壁面板の先端において上蓋板の差込舌片を上方開口に差し込んで当該上方開口を閉塞するだけで済む。これにより、組立ケースに対する商品の収容作業に要する時間が大幅に短縮され、人件費を削減することができる上、商品の収容作業の効率を図ることができる。
しかも、組立ケースから商品を抜き取ろうとしても、上蓋板による上方開口の閉塞を解除しなければ下方開口を開放させることができないため、目立ち難い下方開口のみを開放して商品を抜き取る犯罪を未然に防止することができる。
更に、内側壁面板が第２壁面板の内面に沿って当該第２壁面板の上端縁まで上方へ折り返されていることにより、上方開口から差込舌片を抜き取った上蓋板を第２壁面板の内面に沿って下端縁まで戻さなければ下方開口を開放させることができない。このため、目立ち難い下方開口を開放させるのに手間を要し、商品を抜き取る犯罪を未然に防止する上で非常に有利なものとなる。
【００１３】
また、上記組立ケース副体に、上記第１壁面板の下端縁に折罫部を介して基端が折り曲げ自在に連設され、かつ上記下方開口を閉塞しつつ上記第２壁面板の内面に沿って当該第２壁面板の上端縁まで先端が上方へ折り返される下蓋兼用内側壁面板と、を設け、上記上蓋板を、上記下蓋兼用内側壁面板の先端に上記先端側折罫部を介して連設していてもよい。
この場合には、商品の収容場所において４角筒状に組み立てた組立ケース主体が折り畳んだ状態から復元されると、第１壁面板の下端縁の基端側折罫部で組立ケース副体の下蓋兼用内側壁面板を第２壁面板の内面に沿って当該第２壁面板の上端縁まで湾曲させながら上方へ折り返すことによって、組立ケース主体の下方開口が閉塞される。このとき、組立ケース主体の上方開口を介して商品が収容される。そして、第２壁面板に沿って上方へ折り返された下蓋兼用内側壁面板の先端側折罫部を介して上蓋板を折り曲げ、この上蓋板の先端の折罫部を介して折り曲げた差込舌片を上方開口に差し込むと、当該上方開口が上蓋板によって閉塞される。
【００１４】
このように、組立ケース主体の第１壁面板の下端縁の基端側折罫部で下蓋兼用内側壁面板を折り曲げ、この折り曲げた下蓋兼用内側壁面板を第２壁面板の内面に沿って当該第２壁面板の上端縁まで湾曲させながら上方へ折り返すことによって下方開口が閉塞され、その上方へ折り返した内側壁面板の先端側折罫部を介して上蓋板を折り曲げ、この上蓋板の先端の折罫部を介して折り曲げた差込舌片を上方開口に差し込むことによって、当該上方開口が閉塞されるので、下方開口及び上方開口を閉塞する際に、下蓋板の差込舌片を下方開口に差し込んで当該下方開口を閉塞する必要がなく、第２壁面板の上端縁まで上方へ折り返した下蓋兼用内側壁面板の先端において上蓋板の差込舌片を上方開口に差し込んで当該上方開口を閉塞するだけで済む。これにより、組立ケースに対する商品の収容作業に要する時間が大幅に短縮され、人件費を削減することができる上、商品の収容作業の効率を図ることができる。
しかも、組立ケースから商品を抜き取ろうとしても、上蓋板による上方開口の閉塞を解除しなければ下方開口を開放させることができないため、目立ち難い下方開口のみを開放して商品を抜き取る犯罪を未然に防止することができる。
更に、下蓋兼用内側壁面板が下方開口を閉塞しつつ第２壁面板の内面に沿って当該第２壁面板の上端縁まで上方へ折り返されていることにより、目立ち難い下方開口を開放させるのに手間を要して商品を抜き取る犯罪を未然に防止する上で非常に有利なものとなるのはもちろんのこと、下蓋兼用内側壁面板と組立ケース主体の第１壁面板との間に収容された商品を下蓋兼用内側壁面板により押さえて商品の位置ズレを効果的に抑制することもできる。
【発明の効果】
【００１５】
以上、要するに、組立ケース主体の第１壁面板の下端縁の基端側折罫部で折り曲げた組立ケース副体を上記第１壁面板と対峙する第２壁面板に沿って上方へ折り返した際に下方開口を閉塞し、その上方へ折り返した組立ケース副体の先端側折罫部で上蓋板を折り曲げ、この上蓋板の先端の折罫部で折り曲げた差込舌片を上方開口に差し込んで当該上方開口を閉塞することで、組立ケース主体の下方開口に下蓋板の差込舌片を差し込んで当該下方開口を閉塞する必要がなくなって、組立ケースに対する商品の収容作業に要する時間を大幅に短縮し、人件費を削減させることができる上、商品の収容作業の効率を図ることができる。しかも、上蓋板による上方開口の閉塞を解除しなければ下方開口を開放させることができないため、目立ち難い下方開口のみを開放して商品を抜き取る犯罪を未然に防止することができる。
【図面の簡単な説明】
【００１６】
【図１】本発明の第１の実施の形態に係る組立ケースを得るために打ち抜かれた打ち抜きシートの展開図である。
【図２】図１の組立ケースの組立ケース主体を組み立てた状態で斜め前方から見た斜視図である。
【図３】図２の組立ケースの組立ケース主体の下方開口を組立ケース副体により閉塞した状態で斜め前方から見た斜視図である。
【図４】図３の組立ケース主体の上方開口を組立ケース副体により閉塞した状態で斜め前方から見た斜視図である。
【図５】本発明の第２の実施の形態に係る組立ケースを得るために打ち抜かれた打ち抜きシートの展開図である。
【図６】図５の組立ケースの組立ケース主体を組み立てた状態で斜め前方から見た斜視図である。
【図７】図６の組立ケースの組立ケース主体の下方開口を組立ケース副体により閉塞した状態で斜め前方から見た斜視図である。
【図８】図７の組立ケース主体の上方開口を組立ケース副体により閉塞した状態で斜め前方から見た斜視図である。
【図９】本発明の第３の実施の形態に係る組立ケースを得るために打ち抜かれた打ち抜きシートの展開図である。
【図１０】図９の組立ケースの組立ケース主体を組み立てた状態で斜め前方から見た斜視図である。
【図１１】図１０の組立ケースの組立ケース主体の下方開口を組立ケース副体により閉塞した状態で斜め前方から見た斜視図である。
【図１２】図１１の組立ケース主体の上方開口を組立ケース副体により閉塞した状態で斜め前方から見た斜視図である。
【図１３】従来例に係る組立ケースの組立ケース主体を組み立てた状態で斜め前方から見た斜視図である。
【発明を実施するための形態】
【００１７】
以下、添付図面を参照しながら、本発明の実施の形態について説明し、本発明の理解に供する。尚、以下の実施の形態は、本発明を具体化した一例であって、本発明の技術的範囲を限定する性格のものではない。
まず、図１を用いて、本発明の実施の形態に係る組立ケース１Ａの概略構成について説明する。
【００１８】
図１に示すように、上記組立ケース１Ａは、組立ケース主体１１Ａと、組立ケース副体１２Ａとを備えている。この上記組立ケース１Ａは、ポリプロピレンやポリエチレンテレフタレートなどの透明プラスチックシートを打ち抜いて形成した打ち抜きシートＳＡを組み立てることによって得られる。
【００１９】
上記組立ケース主体１１Ａは、前壁面板１１１Ａ、左壁面板１１２Ａ、後壁面板１１３Ａ、及び右壁面板１１４Ａの４つの壁面板１１１Ａ〜１１４Ａにより構成されている。上記各壁面板１１１Ａ〜１１４Ａのうち、上記前壁面板１１１Ａは、組立ケース主体１１Ａの展開時に一側の外側端（図１では右側端）に位置している。上記各壁面板１１１Ａ〜１１４Ａは、互いに相隣る壁面板の側端縁同士が折罫部２１Ａを介して折り曲げ自在に連設されている。そして、図２に示すように、上記組立ケース主体１１Ａ（各壁面板１１１Ａ〜１１４Ａ）は、軸線ｍＡを上下方向へ延ばすように４角筒状に組み立てられる。また、上記組立ケース主体１１Ａは、上記前壁面板１１１Ａの外端縁（反左壁面板１１２Ａ側の端縁）に折罫部２２Ａを介して折り曲げ自在に連設された糊代片１１５Ａを備えている。そして、上記糊代片１１５Ａを右壁面板１１４Ａの表面（外面）に両面粘着テープ１０Ａで貼り合わせることによって組立形状を保持している。このとき、後壁面板１１３Ａが第１壁面板として構成され、前壁面板１１１Ａが、第１壁面板と対向する第２壁面板として構成されている。
【００２０】
また、上記組立ケース副体１２Ａは、下蓋板１２１Ａ、外側壁面板１２２Ａ、上蓋板１２３Ａ、及び差込舌片１２４Ａを備えている。上記下蓋板１２１Ａは、その基端（図１及び図２では上端）が上記後壁面板１１３Ａの下端に基端側折罫部２３Ａを介して折り曲げ自在に連設されている。この下蓋板１２１Ａは、上記組立ケース主体１１Ａの下方に開口する下方開口１３Ａを閉塞するためのものである。また、上記外側壁面板１２２Ａは、その基端（図１及び図２では上端）が上記下蓋板１２１Ａの先端（図１及び図２では下端）に折罫部２４Ａを介して折り曲げ自在に連設されている。更に、上記上蓋板１２３Ａは、その基端（図１及び図２では上端）が上記外側壁面板１２２Ａの先端（図１及び図２では下端）に先端側折罫部２５Ａを介して折り曲げ自在に連設されている。この上蓋板１２３Ａは、上記組立ケース主体１１Ａの上方に開口する上方開口１４Ａを閉塞するためのものである。また、上記差込舌片１２４Ａは、上記上蓋板１２３Ａの先端（図１及び図２では下端）に後述する折罫部２６Ａを介して連設されている。
【００２１】
上記差込舌片１２４Ａは、図３に示すように、上記上蓋板１２３Ａが上方開口１４Ａを閉塞した状態で、上記上方開口１４Ａに差し込まれる。そして、上記差込舌片１２４Ａは、その幅が上記上蓋板１２３Ａの反外側壁面板１２２Ａ側の端縁の中央位置においてその端縁の幅の略７割程度に設定された基端部１２５Ａと、上記後壁面板１１３Ａの裏面（内面）に沿って上方開口１４Ａに差し込まれる差込舌片本体１２６Ａとを備えている。更に、上記差込舌片１２４Ａの基端部１２５Ａは、上記上蓋板１２３Ａの反外側壁面板１２２Ａ側の端縁中央に設けられた凹設部１２７Ａに折罫部２６Ａを介して折り曲げ自在に連設されている。
【００２２】
また、上記左壁面板１１２Ａ及び上記右壁面板１１４Ａの上端縁には、それぞれサイドフラップ１５Ａ，１５Ａが折罫部２７Ａを介して折り曲げ自在に連設されている。上記左壁面板１１２Ａ及び上記右壁面板１１４Ａの下端縁には、それぞれサイドフラップ１６Ａ，１６Ａが折罫部２８Ａを介して折り曲げ自在に連設されている。これらのサイドフラップ１５Ａ，１６Ａは、上方開口１４Ａ及び下方開口１３Ａを塞ぐように折罫部２７Ａ，２８Ａで折り曲げられたとき、その先端同士が互いに重なり合わない長さ、つまり前壁面板１１１Ａ及び後壁面板１１３Ａの幅方向（図１では左右方向）の長さの４分の１よりも若干短い長さに形成されている。
【００２３】
そして、上記左壁面板１１２Ａ及び上記右壁面板１１４Ａの下端縁の各サイドフラップ１６Ａは、上記各折罫部２８Ａで折り曲げられたとき、それぞれの前端辺が各折罫部２８Ａに対しそれぞれ直交する方向に直線状に延びたのち後端辺側へ段差状に切り欠かれて上記各サイドフラップ１６Ａの先端に向かって斜め方向に延びている。一方、上記左壁面板１１２Ａ及び上記右壁面板１１４Ａの下端縁の各サイドフラップ１６Ａの後端辺は、上記各折罫部２８Ａで折り曲げられたとき、上記後壁面板１１３Ａと下蓋板１２１Ａとの基端側折罫部２３Ａに対し前壁面板１１１Ａ側に微小の隙間を存して上記基端側折罫部２３Ａと直交する方向に直線状に延びている。また、上記左壁面板１１２Ａ及び上記右壁面板１１４Ａの上端縁の各サイドフラップ１５Ａは、上記各折罫部２７Ａで折り曲げられたとき、それぞれの前端辺が上記上蓋板１２３Ａと上記外側壁面板１２２Ａとの先端側折罫部２５Ａに略一致するように上記折罫部２７Ａに対し直交する方向に直線状に延びている。一方、上記左壁面板１１２Ａ及び上記右壁面板１１４Ａの上端縁の各サイドフラップ１５Ａの後端辺は、上記各折罫部２７Ａで折り曲げられたとき、上記各折罫部２７Ａに対しそれぞれ直交する方向に直線状に延びたのち前端辺側へ段差状に切り欠かれて上記各サイドフラップ１５Ａの先端に向かって斜め方向に延びている。
【００２４】
また、図４に示すように、上記左壁面板１１２Ａ及び上記右壁面板１１４Ａの上端縁の各サイドフラップ１５Ａが上記各折罫部２７Ａで折り曲げられたとき、その各サイドフラップ１５Ａの後端辺において段差状に切り欠いた切欠部同士の間は、上記差込舌片１２４Ａの基端部１２５Ａとほぼ同幅に形成され、上記差込舌片１２４Ａが後壁面板１１３Ａの裏面に沿っていれば、挿入がスムーズに行われる。この場合、上記差込舌片１２４Ａは、その基端部１２５Ａが上蓋板１２３Ａの反外側壁面板１２２Ａ側の端縁中央の凹設部１２７Ａに折罫部２６Ａを介して連設されているので、上記上方開口１４Ａに差込舌片１２４Ａの基端部１２５Ａが差し込まれると、その基端部１２５Ａよりも外側に位置する差込舌片１２４Ａの基端部１２５Ａ側の端縁が各サイドフラップ１５Ａの裏面（内面）に係合し、上蓋板１２３Ａの開放を規制する機能を有している。
【００２５】
そして、上記後壁面板１１３Ａの上端縁には、当該後壁面板１１３Ａよりも若干量だけ上方へ突出して看板としての機能を有する後側突片３１が一体的に突設されている。この後側突片３１の上端は、上記後壁面板１１３Ａの上端左右両位置より斜め上方向に向かう波形状に形成されている。
【００２６】
次に、組立ケース１Ａに商品が収容されるまでの作業の流れを説明する。
まず、図１に示すように、透明プラスチックシートを打ち抜いて形成した打ち抜きシートＳを透明プラスチックシートから外す。このとき、打ち抜きシートＳＡには、裏面側（内面側）からの印刷が既に完了している。
【００２７】
次いで、図２に示すように、前壁面板１１１Ａ、左壁面板１１２Ａ、後壁面板１１３Ａ、右壁面板１１４Ａ、及び糊代片１１５Ａをそれぞれ折罫部２１Ａ，２２Ａを介して折り曲げて、組立ケース主体１１Ａを４角筒状に組み立てる。このとき、前壁面板１１１Ａと糊代片１１５Ａとの間の折罫部２２Ａが右壁面板１１４Ａの反後壁面板１１３Ａ側の端縁と略一致するように糊代片１１５Ａを右壁面板１１４Ａの表面に両面粘着テープ１０Ａで貼り合わせることによって組立ケース主体１１Ａの組立形状を保持する。
【００２８】
それから、前壁面板１１１Ａと糊代片１１５Ａとの間の折罫部２２Ａ、及び、左壁面板１１２Ａと後壁面板１１３Ａとの間の折罫部２１Ａにおいて折り曲げて組立ケース１Ａを畳んだ状態にする。この畳んだ状態の組立ケース１Ａは、図示しないケース状の梱包材に箱詰めされて、当該組立ケース１Ａの内部に収容される商品の収容場所などに搬送される。
【００２９】
その後、梱包材に箱詰めされて商品の収容場所などに搬送されると、この収容場所などにおいて、組立ケース１Ａを梱包材から取り出して組立ケース主体１１Ａを復元させる。
具体的には、前壁面板１１１Ａと左壁面板１１２Ａとの間の折罫部２１Ａ、左壁面板１１２Ａと後壁面板１１３Ａとの間の折罫部２１Ａ、後壁面板１１３Ａと右壁面板１１４Ａとの間の折罫部２１Ａ、及び前壁面板１１１Ａと糊代片１１５Ａとの間の折罫部２２Ａにおいてそれぞれ折り曲げて組立ケース主体１１Ａを四角柱状に復元する。
【００３０】
しかる後、図３に示すように、組立ケース主体１１Ａの下方開口１３Ａを閉塞する。
具体的には、左壁面板１１２Ａ及び右壁面板１１４Ａの下端縁の各サイドフラップ１６Ａを、組立ケース主体１１Ａの下方開口１３Ａを塞ぐようにそれぞれ折罫部２８Ａで折り曲げる。その後、組立ケース副体１２Ａの下蓋板１２１Ａの基端を後壁面板１１３Ａの下端に対し基端側折罫部２３Ａを介して折り曲げるとともに、外側壁面板１２２Ａの基端を下蓋板１２１Ａの先端に対し折罫部２４Ａを介して折り曲げる。このとき、外側壁面板１２２Ａは、上記前壁面板１１１Ａの外面に沿って当該前壁面板１１１Ａの上端縁に先端が位置するように上方へ折り返され、これによって、外側壁面板１２２Ａの基端と下蓋板１２１Ａの先端との間の折罫部２４Ａが前壁面板１１１Ａの下端縁に位置し、組立ケース主体１１Ａの下方開口１３Ａを下蓋板１２１Ａにより閉塞している。
【００３１】
それから、図４に示すように、組立ケース主体１１Ａの上方開口１４Ａを閉塞する。
具体的には、左壁面板１１２Ａ及び右壁面板１１４Ａの上端縁の各サイドフラップ１５Ａを、組立ケース主体１１Ａの上方開口１４Ａを塞ぐようにそれぞれ折罫部２７Ａで折り曲げる。その後、組立ケース副体１２Ａの上蓋板１２３Ａの基端を外側壁面板１２２Ａの先端に対し先端側折罫部２５Ａを介して折り曲げるとともに、差込舌片１２４Ａを上蓋板１２３Ａの先端に対し折罫部２６Ａを介して折り曲げる。そして、上記左壁面板１１２Ａ及び上記右壁面板１１４Ａの上端縁の各サイドフラップ１５Ａが上記各折罫部２７Ａで折り曲げられたときに上記差込舌片１２４Ａの基端部１２５Ａとほぼ同幅に形成される、各サイドフラップ１５Ａの後端辺における切欠部同士の間に、上記差込舌片１２４Ａを後壁面板１１３Ａの裏面に沿わせてスムーズに挿入し、上方開口１４Ａを上蓋板１２３Ａにより閉塞する。このとき、上方開口１４Ａに差込舌片１２４Ａの基端部１２５Ａを差し込むと、その基端部１２５Ａよりも外側に位置する差込舌片１２４Ａの基端部１２５Ａ側の端縁が各サイドフラップ１５Ａの裏面に係合し、これによって、上蓋板１２３Ａの開放を規制している。
【００３２】
したがって、上記第１の実施の形態では、商品の収容場所において４角筒状に組み立てた組立ケース主体１１Ａが折り畳んだ状態から復元されると、後壁面板１１３Ａの下端縁の基端側折罫部２３Ａで下蓋板１２１Ａの基端を折り曲げ、この基端を折り曲げた下蓋板１２１Ａの先端に折罫部２４Ａを介して基端が連設された外側壁面板１２２Ａを前壁面板１１１Ａの外面に沿って当該前壁面板１１１Ａの上端縁に先端が位置するように上方へ折り返すことによって、下方開口１３Ａが下蓋板１２１Ａによって閉塞される。このとき、上方開口１４Ａを介して組立ケース主体１１Ａの内部に商品が収容される。そして、前壁面板１１１Ａに沿って上方へ折り返された外側壁面板１２２Ａの先端において先端側折罫部２５Ａを介して上蓋板１２３Ａを折り曲げるとともに、この上蓋板１２３Ａの先端の折罫部２６Ａを介して差込舌片１２４Ａを折り曲げて上方開口１４Ａに差し込むと、当該上方開口１４Ａが上蓋板１２３Ａによって閉塞される。
【００３３】
このように、組立ケース主体１１Ａの後壁面板１１３Ａの下端縁の基端側折罫部２３Ａで下蓋板１２１Ａの基端を折り曲げるとともに、この折り曲げた下蓋板１２１Ａの先端で折罫部２４Ａを介して折り曲げた外側壁面板１２２Ａを、前壁面板１１１Ａの外面に沿って当該前壁面板１１１Ａの上端縁に先端が位置するように上方へ折り返すことによって、上記下方開口１３Ａが閉塞され、その上方へ折り返した外側壁面板１２２Ａの先端側折罫部２５Ａを介して上蓋板１２３Ａを折り曲げるとともに、この上蓋板１２３Ａの先端の折罫部２６Ａで折り曲げた差込舌片１２４Ａを上方開口１４Ａに差し込むことによって当該上方開口１４Ａが閉塞されるので、下方開口１３Ａ及び上方開口１４Ａを閉塞する際に、下蓋板の差込舌片を下方開口に差し込んで当該下方開口を閉塞する必要がなく、前壁面板１１１Ａの上端縁まで上方へ折り返した外側壁面板１２２Ａの先端において上蓋板１２３Ａの差込舌片１２４Ａを上方開口１４Ａに差し込んで当該上方開口１４Ａを閉塞するだけで済む。これにより、組立ケース１Ａに対する商品の収容作業に要する時間が大幅に短縮され、人件費を削減することができる上、商品の収容作業の効率を図ることができる。
【００３４】
しかも、組立ケース１Ａから商品を抜き取ろうとしても、上蓋板１２３Ａによる上方開口１４Ａの閉塞を解除しなければ下方開口１３Ａを開放させることができないため、目立ち難い下方開口１３Ａのみを開放して商品を抜き取る犯罪を未然に防止することができる。
【００３５】
次に、本発明の第２の実施の形態を図５〜図８に基づいて説明する。
この実施の形態では、組立ケースの構成を変更している。
すなわち、本実施の形態では、図５に示すように、組立ケース１Ｂは、組立ケース本体１１Ｂと、組立ケース副体１２Ｂとを備えている。この上記組立ケース１Ｂは、ポリプロピレンやポリエチレンテレフタレートなどの透明プラスチックシートを打ち抜いて形成した打ち抜きシートＳＢを組み立てることによって得られる。
【００３６】
上記組立ケース主体１１Ｂは、前壁面板１１１Ｂ、左壁面板１１２Ｂ、後壁面板１１３Ｂ、及び右壁面板１１４Ｂの４つの壁面板１１１Ｂ〜１１４Ｂにより構成されている。上記各壁面板１１１Ｂ〜１１４Ｂのうち、上記前壁面板１１１Ｂは、組立ケース主体１１Ｂの展開時に一側の外側端（図５では右側端）に位置している。上記各壁面板１１１Ｂ〜１１４Ｂは、互いに相隣る壁面板の側端縁同士が折罫部２１Ｂを介して折り曲げ自在に連設されている。そして、図６に示すように、上記組立ケース主体１１Ｂ（各壁面板１１１Ｂ〜１１４Ｂ）は、軸線ｍＢを上下方向へ延ばすように４角筒状に組み立てられる。また、上記組立ケース主体１１Ｂは、上記前壁面板１１１Ｂの外端縁（反左壁面板１１２Ｂ側の端縁）に折罫部２２Ｂを介して折り曲げ自在に連設された糊代片１１５Ｂを備えている。そして、上記糊代片１１５Ｂを右壁面板１１４Ｂの表面（外面）に両面粘着テープ１０Ｂで貼り合わせることによって組立形状を保持している。このとき、後壁面板１１３Ｂが第１壁面板として構成され、前壁面板１１１Ｂが、第１壁面板と対向する第２壁面板として構成されている。
【００３７】
また、上記組立ケース副体１２Ｂは、下蓋板１２１Ｂ、内側壁面板１２２Ｂ、上蓋板１２３Ｂ、及び差込舌片１２４Ｂを備えている。上記下蓋板１２１Ｂは、その基端（図５及び図６では上端）が上記後壁面板１１３Ｂの下端に基端側折罫部２３Ｂを介して折り曲げ自在に連設されている。この下蓋板１２１Ｂは、上記組立ケース主体１１Ｂの下方に開口する下方開口１３Ｂを閉塞するためのものである。また、上記内側壁面板１２２Ｂは、その基端（図５及び図６では上端）が上記下蓋板１２１Ｂの先端（図５及び図６では下端）に折罫部２４Ｂを介して折り曲げ自在に連設され、組立ケース主体１１Ｂの前壁面板の内面に沿って上方へ折り返される。更に、上記上蓋板１２３Ｂは、その基端（図５及び図６では上端）が上記内側壁面板１２２Ｂの先端（図５及び図６では下端）に先端側折罫部２５Ｂを介して折り曲げ自在に連設されている。この上蓋板１２３Ｂは、上記組立ケース主体１１Ｂの上方に開口する上方開口１４Ｂを閉塞するためのものである。また、上記差込舌片１２４Ｂは、上記上蓋板１２３Ｂの先端（図５及び図６では下端）に後述する折罫部２６Ｂを介して連設されている。
【００３８】
上記差込舌片１２４Ｂは、図７に示すように、上記上蓋板１２３Ｂが上方開口１４Ｂを閉塞した状態で、上記上方開口１４Ｂに差し込まれる。そして、上記差込舌片１２４Ｂは、その幅が上記上蓋板１２３Ｂの反内側壁面板１２２Ｂ側の端縁の中央位置においてその端縁の幅の略７割程度に設定された基端部１２５Ｂと、上記後壁面板１１３Ｂの裏面（内面）に沿って上方開口１４Ｂに差し込まれる差込舌片本体１２６Ｂとを備えている。更に、上記差込舌片１２４Ｂの基端部１２５Ｂは、上記上蓋板１２３Ｂの反内側壁面板１２２Ｂ側の端縁中央に設けられた凹設部１２７Ｂに折罫部２６Ｂを介して折り曲げ自在に連設されている。
【００３９】
また、上記左壁面板１１２Ｂ及び上記右壁面板１１４Ｂの上端縁には、それぞれサイドフラップ１５Ｂ，１５Ｂが折罫部２７Ｂを介して折り曲げ自在に連設されている。上記左壁面板１１２Ｂ及び上記右壁面板１１４Ｂの下端縁には、それぞれサイドフラップ１６Ｂ，１６Ｂが折罫部２８Ｂを介して折り曲げ自在に連設されている。これらのサイドフラップ１５Ｂ，１６Ｂは、上方開口１４Ｂ及び下方開口１３Ｂを塞ぐように折罫部２７Ｂ，２８Ｂで折り曲げられたとき、その先端同士が互いに重なり合わない長さ、つまり前壁面板１１１Ｂ及び後壁面板１１３Ｂの幅方向（図５では左右方向）の長さの４分の１よりも若干短い長さに形成されている。
【００４０】
そして、上記左壁面板１１２Ｂ及び上記右壁面板１１４Ｂの下端縁の各サイドフラップ１６Ｂは、上記各折罫部２８Ｂで折り曲げられたとき、それぞれの前端辺が各折罫部２８Ｂに対しそれぞれ直交する方向に直線状に延びたのち後端辺側へ段差状に切り欠かれて上記各サイドフラップ１６Ｂの先端に向かって斜め方向に延びている。一方、上記左壁面板１１２Ｂ及び上記右壁面板１１４Ｂの下端縁の各サイドフラップ１６Ｂの後端辺は、上記各折罫部２８Ｂで折り曲げられたとき、上記後壁面板１１３Ｂと下蓋板１２１Ｂとの基端側折罫部２３Ｂに対し前壁面板１１１Ｂ側に微小の隙間を存して上記基端側折罫部２３Ｂと直交する方向に直線状に延びている。また、上記左壁面板１１２Ｂ及び上記右壁面板１１４Ｂの上端縁の各サイドフラップ１５Ｂは、上記各折罫部２７Ｂで折り曲げられたとき、それぞれの前端辺が上記上蓋板１２３Ｂと上記内側壁面板１２２Ｂとの先端側折罫部２５Ｂに略一致するように上記折罫部２７Ｂに対し直交する方向に直線状に延びている。一方、上記左壁面板１１２Ｂ及び上記右壁面板１１４Ｂの上端縁の各サイドフラップ１５Ｂの後端辺は、上記各折罫部２７Ｂで折り曲げられたとき、上記各折罫部２７Ｂに対しそれぞれ直交する方向に直線状に延びたのち前端辺側へ段差状に切り欠かれて上記各サイドフラップ１５Ｂの先端に向かって斜め方向に延びている。
【００４１】
また、図８に示すように、上記左壁面板１１２Ｂ及び上記右壁面板１１４Ｂの上端縁の各サイドフラップ１５Ｂが上記各折罫部２７Ｂで折り曲げられたとき、その各サイドフラップ１５Ｂの後端辺において段差状に切り欠いた切欠部同士の間は、上記差込舌片１２４Ｂの基端部１２５Ｂとほぼ同幅に形成され、上記差込舌片１２４Ｂが後壁面板１１３Ｂの裏面に沿っていれば、挿入がスムーズに行われる。この場合、上記差込舌片１２４Ｂは、その基端部１２５Ｂが上蓋板１２３Ｂの反内側壁面板１２２Ｂ側の端縁中央の凹設部１２７Ｂに折罫部２６Ｂを介して連設されているので、上記上方開口１４Ｂに差込舌片１２４Ｂの基端部１２５Ｂが差し込まれると、その基端部１２５Ｂよりも外側に位置する差込舌片１２４Ｂの基端部１２５Ｂ側の端縁が各サイドフラップ１５Ｂの裏面（内面）に係合し、上蓋板１２３Ｂの開放を規制する機能を有している。
【００４２】
次に、組立ケース１Ｂに商品が収容されるまでの作業の流れを説明する。
まず、図５に示すように、透明プラスチックシートを打ち抜いて形成した打ち抜きシートＳを透明プラスチックシートから外す。このとき、打ち抜きシートＳＢには、裏面側（内面側）からの印刷が既に完了している。
【００４３】
次いで、図６に示すように、前壁面板１１１Ｂ、左壁面板１１２Ｂ、後壁面板１１３Ｂ、右壁面板１１４Ｂ、及び糊代片１１５Ｂをそれぞれ折罫部２１Ｂ，２２Ｂを介して折り曲げて、組立ケース主体１１Ｂを４角筒状に組み立てる。このとき、前壁面板１１１Ｂと糊代片１１５Ｂとの間の折罫部２２Ｂが右壁面板１１４Ｂの反後壁面板１１３Ｂ側の端縁と略一致するように糊代片１１５Ｂを右壁面板１１４Ｂの表面に両面粘着テープ１０Ｂで貼り合わせることによって組立ケース主体１１Ｂの組立形状を保持する。
【００４４】
それから、前壁面板１１１Ｂと糊代片１１５Ｂとの間の折罫部２２Ｂ、及び、左壁面板１１２Ｂと後壁面板１１３Ｂとの間の折罫部２１Ｂにおいて折り曲げて組立ケース１Ｂを畳んだ状態にする。この畳んだ状態の組立ケース１Ｂは、図示しないケース状の梱包材に箱詰めされて、当該組立ケース１Ｂの内部に収容される商品の収容場所などに搬送される。
【００４５】
その後、梱包材に箱詰めされて商品の収容場所などに搬送されると、この収容場所などにおいて、組立ケース１Ｂを梱包材から取り出して組立ケース主体１１Ｂを復元させる。
具体的には、前壁面板１１１Ｂと左壁面板１１２Ｂとの間の折罫部２１Ｂ、左壁面板１１２Ｂと後壁面板１１３Ｂとの間の折罫部２１Ｂ、後壁面板１１３Ｂと右壁面板１１４Ｂとの間の折罫部２１Ｂ、及び前壁面板１１１Ｂと糊代片１１５Ｂとの間の折罫部２２Ｂにおいてそれぞれ折り曲げて組立ケース主体１１Ｂを四角柱状に復元する。
【００４６】
しかる後、図７に示すように、組立ケース主体１１Ｂの下方開口１３Ｂを閉塞する。
具体的には、左壁面板１１２Ｂ及び右壁面板１１４Ｂの下端縁の各サイドフラップ１６Ｂを、組立ケース主体１１Ｂの下方開口１３Ｂを塞ぐようにそれぞれ折罫部２８Ｂで折り曲げる。その後、組立ケース副体１２Ｂの下蓋板１２１Ｂの基端を後壁面板１１３Ｂの下端に対し基端側折罫部２３Ｂを介して折り曲げるとともに、内側壁面板１２２Ｂの基端を下蓋板１２１Ｂの先端に対し折罫部２４Ｂを介して折り曲げる。このとき、内側壁面板１２２Ｂは、上記前壁面板１１１Ｂの内面に沿って当該前壁面板１１１Ｂの上端縁に先端が位置するように上方へ折り返され、これによって、内側壁面板１２２Ｂの基端と下蓋板１２１Ｂの先端との間の折罫部２４Ｂが前壁面板１１１Ｂの下端縁に位置し、組立ケース主体１１Ｂの下方開口１３Ｂを下蓋板１２１Ｂにより閉塞している。
【００４７】
それから、図８に示すように、組立ケース主体１１Ｂの上方開口１４Ｂを閉塞する。
具体的には、左壁面板１１２Ｂ及び右壁面板１１４Ｂの上端縁の各サイドフラップ１５Ｂを、組立ケース主体１１Ｂの上方開口１４Ｂを塞ぐようにそれぞれ折罫部２７Ｂで折り曲げる。その後、組立ケース副体１２Ｂの上蓋板１２３Ｂの基端を内側壁面板１２２Ｂの先端に対し先端側折罫部２５Ｂを介して折り曲げるとともに、差込舌片１２４Ｂを上蓋板１２３Ｂの先端に対し折罫部２６Ｂを介して折り曲げる。そして、上記左壁面板１１２Ｂ及び上記右壁面板１１４Ｂの上端縁の各サイドフラップ１５Ｂが上記各折罫部２７Ｂで折り曲げられたときに上記差込舌片１２４Ｂの基端部１２５Ｂとほぼ同幅に形成される、各サイドフラップ１５Ｂの後端辺における切欠部同士の間に、上記差込舌片１２４Ｂを後壁面板１１３Ｂの裏面に沿わせてスムーズに挿入し、上方開口１４Ｂを上蓋板１２３Ｂにより閉塞する。このとき、上方開口１４Ｂに差込舌片１２４Ｂの基端部１２５Ｂを差し込むと、その基端部１２５Ｂよりも外側に位置する差込舌片１２４Ｂの基端部１２５Ｂ側の端縁が各サイドフラップ１５Ｂの裏面に係合し、これによって、上蓋板１２３Ｂの開放を規制している。
【００４８】
したがって、上記第２の実施の形態では、商品の収容場所において４角筒状に組み立てた組立ケース主体１１Ｂが折り畳んだ状態から復元されると、後壁面板１１３Ｂの下端縁の基端側折罫部２３Ｂで下蓋板１２１Ｂの基端を折り曲げ、この基端を折り曲げた下蓋板１２１Ｂの先端に折罫部２４Ｂを介して基端が連設された内側壁面板１２２Ｂを前壁面板１１１Ｂの内面に沿って当該前壁面板１１１Ｂの上端縁に先端が位置するように上方へ折り返すことによって、下方開口１３Ｂが下蓋板１２１Ｂによって閉塞される。このとき、上方開口１４Ｂを介して組立ケース主体１１Ｂの内部に商品が収容される。そして、前壁面板１１１Ｂに沿って上方へ折り返された内側壁面板１２２Ｂの先端において先端側折罫部２５Ｂを介して上蓋板１２３Ｂを折り曲げるとともに、この上蓋板１２３Ｂの先端の折罫部２６Ｂを介して差込舌片１２４Ｂを折り曲げて上方開口１４Ｂに差し込むと、当該上方開口１４Ｂが上蓋板１２３Ｂによって閉塞される。
【００４９】
このように、組立ケース主体１１Ｂの後壁面板１１３Ｂの下端縁の基端側折罫部２３Ｂで下蓋板１２１Ｂの基端を折り曲げるとともに、この折り曲げた下蓋板１２１Ｂの先端で折罫部２４Ｂを介して折り曲げた内側壁面板１２２Ｂを、前壁面板１１１Ｂの内面に沿って当該前壁面板１１１Ｂの上端縁に先端が位置するように上方へ折り返すことによって、上記下方開口１３Ｂが閉塞され、その上方へ折り返した内側壁面板１２２Ｂの先端側折罫部２５Ｂを介して上蓋板１２３Ｂを折り曲げるとともに、この上蓋板１２３Ｂの先端の折罫部２６Ｂで折り曲げた差込舌片１２４Ｂを上方開口１４Ｂに差し込むことによって当該上方開口１４Ｂが閉塞されるので、下方開口１３Ｂ及び上方開口１４Ｂを閉塞する際に、下蓋板の差込舌片を下方開口に差し込んで当該下方開口を閉塞する必要がなく、前壁面板１１１Ｂの上端縁まで上方へ折り返した内側壁面板１２２Ｂの先端において上蓋板１２３Ｂの差込舌片１２４Ｂを上方開口１４Ｂに差し込んで当該上方開口１４Ｂを閉塞するだけで済む。これにより、組立ケース１Ｂに対する商品の収容作業に要する時間が大幅に短縮され、人件費を削減することができる上、商品の収容作業の効率を図ることができる。
【００５０】
しかも、組立ケース１Ｂから商品を抜き取ろうとしても、上蓋板１２３Ｂによる上方開口１４Ｂの閉塞を解除しなければ下方開口１３Ｂを開放させることができないため、目立ち難い下方開口１３Ｂのみを開放して商品を抜き取る犯罪を未然に防止することができる。
【００５１】
更に、内側壁面板１２２Ｂが前壁面板１１１Ｂの内面に沿って当該前壁面板１１１Ｂの上端縁まで上方へ折り返されていることにより、上方開口１４Ｂから差込舌片１２４Ｂを抜き取った上蓋板１２３Ｂを前壁面板１１１Ｂの内面に沿って下端縁まで戻さなければ下方開口１３Ｂを開放させることができない。このため、目立ち難い下方開口１３Ｂを開放させるのに手間を要し、商品を抜き取る犯罪を未然に防止する上で非常に有利なものとなる。
【００５２】
次に、本発明の第３の実施の形態を図９〜図１２に基づいて説明する。
この実施の形態では、組立ケースの構成を変更している。
すなわち、本実施の形態では、図９に示すように、組立ケース１Ｃは、組立ケース本体１１Ｃと、組立ケース副体１２Ｃとを備えている。この上記組立ケース１Ｃは、ポリプロピレンやポリエチレンテレフタレートなどの透明プラスチックシートを打ち抜いて形成した打ち抜きシートＳＣを組み立てることによって得られる。
【００５３】
上記組立ケース主体１１Ｃは、前壁面板１１１Ｃ、左壁面板１１２Ｃ、後壁面板１１３Ｃ、及び右壁面板１１４Ｃの４つの壁面板１１１Ｃ〜１１４Ｃにより構成されている。上記各壁面板１１１Ｃ〜１１４Ｃのうち、上記前壁面板１１１Ｃは、組立ケース主体１１Ｃの展開時に一側の外側端（図９では右側端）に位置している。上記各壁面板１１１Ｃ〜１１４Ｃは、互いに相隣る壁面板の側端縁同士が折罫部２１Ｃを介して折り曲げ自在に連設されている。そして、図１０に示すように、上記組立ケース主体１１Ｃ（各壁面板１１１Ｃ〜１１４Ｃ）は、軸線ｍＣを上下方向へ延ばすように４角筒状に組み立てられる。また、上記組立ケース主体１１Ｃは、上記前壁面板１１１Ｃの外端縁（反左壁面板１１２Ｃ側の端縁）に折罫部２２Ｃを介して折り曲げ自在に連設された糊代片１１５Ｃを備えている。そして、上記糊代片１１５Ｃを右壁面板１１４Ｃの表面（外面）に両面粘着テープ１０Ｃで貼り合わせることによって組立形状を保持している。このとき、後壁面板１１３Ｃが第１壁面板として構成され、前壁面板１１１Ｃが、第１壁面板と対向する第２壁面板として構成されている。
【００５４】
また、上記組立ケース副体１２Ｃは、下蓋板兼用内側壁面板１２２Ｃ、上蓋板１２３Ｃ、及び差込舌片１２４Ｃを備えている。上記下蓋板兼用内側壁面板１２２Ｃは、その基端（図９及び図１０では上端）が上記後壁面板１１３Ｃの下端に基端側折罫部２３Ｃを介して折り曲げ自在に連設されている。この下蓋板兼用内側壁面板１２２Ｃは、上記組立ケース主体１１Ｃの下方に開口する下方開口１３Ｃを閉塞しつつ前壁面板１１１Ｃの内面に沿って上方へ折り返されるものである。また、上記上蓋板１２３Ｃは、その基端（図９及び図１０では上端）が上記下蓋板兼用内側壁面板１２２Ｃの先端（図９及び図１０では下端）に先端側折罫部２５Ｃを介して折り曲げ自在に連設されている。この上蓋板１２３Ｃは、上記組立ケース主体１１Ｃの上方に開口する上方開口１４Ｃを閉塞するためのものである。また、上記差込舌片１２４Ｃは、上記上蓋板１２３Ｃの先端（図９及び図１０では下端）に後述する折罫部２６Ｃを介して連設されている。
【００５５】
上記差込舌片１２４Ｃは、図１１に示すように、上記上蓋板１２３Ｃが上方開口１４Ｃを閉塞した状態で、上記上方開口１４Ｃに差し込まれる。そして、上記差込舌片１２４Ｃは、その幅が上記上蓋板１２３Ｃの反下蓋板兼用内側壁面板１２２Ｃ側の端縁の中央位置においてその端縁の幅の略７割程度に設定された基端部１２５Ｃと、上記後壁面板１１３Ｃの裏面（内面）に沿って上方開口１４Ｃに差し込まれる差込舌片本体１２６Ｃとを備えている。更に、上記差込舌片１２４Ｃの基端部１２５Ｃは、上記上蓋板１２３Ｃの反外側壁面板１２２Ｃ側の端縁中央に設けられた凹設部１２７Ｃに折罫部２６Ｃを介して折り曲げ自在に連設されている。
【００５６】
また、上記左壁面板１１２Ｃ及び上記右壁面板１１４Ｃの上端縁には、それぞれサイドフラップ１５Ｃ，１５Ｃが折罫部２７Ｃを介して折り曲げ自在に連設されている。上記左壁面板１１２Ｃ及び上記右壁面板１１４Ｃの下端縁には、それぞれサイドフラップ１６Ｃ，１６Ｃが折罫部２８Ｃを介して折り曲げ自在に連設されている。これらのサイドフラップ１５Ｃ，１６Ｃは、上方開口１４Ｃ及び下方開口１３Ｃを塞ぐように折罫部２７Ｃ，２８Ｃで折り曲げられたとき、その先端同士が互いに重なり合わない長さ、つまり前壁面板１１１Ｃ及び後壁面板１１３Ｃの幅方向（図９では左右方向）の長さの４分の１よりも若干短い長さに形成されている。
【００５７】
そして、上記左壁面板１１２Ｃ及び上記右壁面板１１４Ｃの下端縁の各サイドフラップ１６Ｃは、上記各折罫部２８Ｃで折り曲げられたとき、それぞれの前端辺が各折罫部２８Ｃに対しそれぞれ直交する方向に直線状に延びたのち後端辺側へ段差状に切り欠かれて上記各サイドフラップ１６Ｃの先端に向かって斜め方向に延びている。一方、上記左壁面板１１２Ｃ及び上記右壁面板１１４Ｃの下端縁の各サイドフラップ１６Ｃの後端辺は、上記各折罫部２８Ｃで折り曲げられたとき、上記後壁面板１１３Ｃと下蓋板１２１Ｃとの基端側折罫部２３Ｃに対し前壁面板１１１Ｃ側に微小の隙間を存して上記基端側折罫部２３Ｃと直交する方向に直線状に延びている。また、上記左壁面板１１２Ｃ及び上記右壁面板１１４Ｃの上端縁の各サイドフラップ１５Ｃは、上記各折罫部２７Ｃで折り曲げられたとき、それぞれの前端辺が上記上蓋板１２３Ｃと上記外側壁面板１２２Ｃとの先端側折罫部２５Ｃに略一致するように上記折罫部２７Ｃに対し直交する方向に直線状に延びている。一方、上記左壁面板１１２Ｃ及び上記右壁面板１１４Ｃの上端縁の各サイドフラップ１５Ｃの後端辺は、上記各折罫部２７Ｃで折り曲げられたとき、上記各折罫部２７Ｃに対しそれぞれ直交する方向に直線状に延びたのち前端辺側へ段差状に切り欠かれて上記各サイドフラップ１５Ｃの先端に向かって斜め方向に延びている。
【００５８】
また、図１２に示すように、上記左壁面板１１２Ｃ及び上記右壁面板１１４Ｃの上端縁の各サイドフラップ１５Ｃが上記各折罫部２７Ｃで折り曲げられたとき、その各サイドフラップ１５Ｃの後端辺において段差状に切り欠いた切欠部同士の間は、上記差込舌片１２４Ｃの基端部１２５Ｃとほぼ同幅に形成され、上記差込舌片１２４Ｃが後壁面板１１３Ｃの裏面に沿っていれば、挿入がスムーズに行われる。この場合、上記差込舌片１２４Ｃは、その基端部１２５Ｃが上蓋板１２３Ｃの反外側壁面板１２２Ｃ側の端縁中央の凹設部１２７Ｃに折罫部２６Ｃを介して連設されているので、上記上方開口１４Ｃに差込舌片１２４Ｃの基端部１２５Ｃが差し込まれると、その基端部１２５Ｃよりも外側に位置する差込舌片１２４Ｃの基端部１２５Ｃ側の端縁が各サイドフラップ１５Ｃの裏面（内面）に係合し、上蓋板１２３Ｃの開放を規制する機能を有している。
【００５９】
次に、組立ケース１Ｃに商品が収容されるまでの作業の流れを説明する。
まず、図９に示すように、透明プラスチックシートを打ち抜いて形成した打ち抜きシートＳを透明プラスチックシートから外す。このとき、打ち抜きシートＳＢには、裏面側（内面側）からの印刷が既に完了している。
【００６０】
次いで、図１０に示すように、前壁面板１１１Ｃ、左壁面板１１２Ｃ、後壁面板１１３Ｃ、右壁面板１１４Ｃ、及び糊代片１１５Ｃをそれぞれ折罫部２１Ｃ，２２Ｃを介して折り曲げて、組立ケース主体１１Ｃを４角筒状に組み立てる。このとき、前壁面板１１１Ｃと糊代片１１５Ｃとの間の折罫部２２Ｃが右壁面板１１４Ｃの反後壁面板１１３Ｃ側の端縁と略一致するように糊代片１１５Ｃを右壁面板１１４Ｃの表面に両面粘着テープ１０Ｃで貼り合わせることによって組立ケース主体１１Ｃの組立形状を保持する。
【００６１】
それから、前壁面板１１１Ｃと糊代片１１５Ｃとの間の折罫部２２Ｃ、及び、左壁面板１１２Ｃと後壁面板１１３Ｃとの間の折罫部２１Ｃにおいて折り曲げて組立ケース１Ｃを畳んだ状態にする。この畳んだ状態の組立ケース１Ｃは、図示しないケース状の梱包材に箱詰めされて、当該組立ケース１Ｃの内部に収容される商品の収容場所などに搬送される。
【００６２】
その後、梱包材に箱詰めされて商品の収容場所などに搬送されると、この収容場所などにおいて、組立ケース１Ｃを梱包材から取り出して組立ケース主体１１Ｃを復元させる。
具体的には、前壁面板１１１Ｃと左壁面板１１２Ｃとの間の折罫部２１Ｃ、左壁面板１１２Ｃと後壁面板１１３Ｃとの間の折罫部２１Ｃ、後壁面板１１３Ｃと右壁面板１１４Ｃとの間の折罫部２１Ｃ、及び前壁面板１１１Ｃと糊代片１１５Ｃとの間の折罫部２２Ｃにおいてそれぞれ折り曲げて組立ケース主体１１Ｃを四角柱状に復元する。
【００６３】
しかる後、図１１に示すように、組立ケース主体１１Ｃの下方開口１３Ｃを閉塞する。
具体的には、組立ケース副体１２Ｃの下蓋板兼用内側壁面板１２２Ｃの基端を後壁面板１１３Ｃの下端に対し基端側折罫部２３Ｃを介して折り曲げる。このとき、下蓋板兼用内側壁面板１２２Ｃは、上記前壁面板１１１Ｃの内面に沿って当該前壁面板１１１Ｃの上端縁に先端が位置するように湾曲しながら上方へ折り返され、これによって、下蓋板兼用内側壁面板１２２Ｃの基端と下蓋板１２１Ｃの先端との間の折罫部２４Ｃが前壁面板１１１Ｃの下端縁に位置し、組立ケース主体１１Ｃの下方開口１３Ｃを下蓋板兼用内側壁面板１２２Ｃの湾曲部分により閉塞している。
【００６４】
それから、図１２に示すように、組立ケース主体１１Ｃの上方開口１４Ｃを閉塞する。
具体的には、左壁面板１１２Ｃ及び右壁面板１１４Ｃの上端縁の各サイドフラップ１５Ｃを、組立ケース主体１１Ｃの上方開口１４Ｃを塞ぐようにそれぞれ折罫部２７Ｃで折り曲げる。その後、組立ケース副体１２Ｃの上蓋板１２３Ｃの基端を下蓋板兼用内側壁面板１２２Ｃの先端に対し先端側折罫部２５Ｃを介して折り曲げるとともに、差込舌片１２４Ｃを上蓋板１２３Ｃの先端に対し折罫部２６Ｃを介して折り曲げる。そして、上記左壁面板１１２Ｃ及び上記右壁面板１１４Ｃの上端縁の各サイドフラップ１５Ｃが上記各折罫部２７Ｃで折り曲げられたときに上記差込舌片１２４Ｃの基端部１２５Ｃとほぼ同幅に形成される、各サイドフラップ１５Ｃの後端辺における切欠部同士の間に、上記差込舌片１２４Ｃを後壁面板１１３Ｃの裏面に沿わせてスムーズに挿入し、上方開口１４Ｃを上蓋板１２３Ｃにより閉塞する。このとき、上方開口１４Ｃに差込舌片１２４Ｃの基端部１２５Ｃを差し込むと、その基端部１２５Ｃよりも外側に位置する差込舌片１２４Ｃの基端部１２５Ｃ側の端縁が各サイドフラップ１５Ｃの裏面に係合し、これによって、上蓋板１２３Ｃの開放を規制している。
【００６５】
したがって、上記第３の実施の形態では、商品の収容場所において４角筒状に組み立てた組立ケース主体１１Ｃが折り畳んだ状態から復元されると、後壁面板１１３Ｃの下端縁に基端側折罫部２３Ｃを介して基端が連設された下蓋板兼用内側壁面板１２２Ｃを折り曲げ、この基端を折り曲げた下蓋板兼用内側壁面板１２２Ｃを前壁面板１１１Ｃの内面に沿って上記前壁面板１１１Ｃの上端縁に先端が位置するように湾曲させながら上方へ折り返すことによって、下方開口１３Ｃが閉塞される。このとき、上方開口１４Ｃを介して組立ケース主体１１Ｃの内部に商品が収容される。そして、前壁面板１１１Ｃの内面に沿って上方へ折り返された下蓋板兼用内側壁面板１２２Ｃの先端において先端側折罫部２５Ｃを介して上蓋板１２３Ｃを折り曲げるとともに、この上蓋板１２３Ｃの先端の折罫部２６Ｃを介して差込舌片１２４Ｃを折り曲げて上方開口１４Ｃに差し込むと、当該上方開口１４Ｃが上蓋板１２３Ｃによって閉塞される。
【００６６】
このように、組立ケース主体１１Ｃの後壁面板１１３Ｃの下端縁の基端側折罫部２３Ｃで下蓋板兼用内側壁面板１２２Ｃの基端を折り曲げるとともに、この折り曲げた下蓋板兼用内側壁面板１２２Ｃを、前壁面板１１１Ｃの外面に沿って当該前壁面板１１１Ｃの上端縁に先端が位置するように湾曲させながら上方へ折り返すことによって、上記下方開口１３Ｃが閉塞され、その上方へ折り返した下蓋板兼用内側壁面板１２２Ｃの先端側折罫部２５Ｃを介して上蓋板１２３Ｃを折り曲げるとともに、この上蓋板１２３Ｃの先端の折罫部２６Ｃで折り曲げた差込舌片１２４Ｃを上方開口１４Ｃに差し込むことによって当該上方開口１４Ｃが閉塞されるので、下方開口１３Ｃ及び上方開口１４Ｃを閉塞する際に、下蓋板の差込舌片を下方開口に差し込んで当該下方開口を閉塞する必要がなく、前壁面板１１１Ｃの上端縁まで上方へ折り返した下蓋板兼用内側壁面板１２２Ｃの先端において上蓋板１２３Ｃの差込舌片１２４Ｃを上方開口１４Ｃに差し込んで当該上方開口１４Ｃを閉塞するだけで済む。これにより、組立ケース１Ｃに対する商品の収容作業に要する時間が大幅に短縮され、人件費を削減することができる上、商品の収容作業の効率を図ることができる。
【００６７】
しかも、組立ケース１Ｃから商品を抜き取ろうとしても、上蓋板１２３Ｃによる上方開口１４Ｃの閉塞を解除しなければ下方開口１３Ｃを開放させることができないため、目立ち難い下方開口１３Ｃのみを開放して商品を抜き取る犯罪を未然に防止することができる。
【００６８】
更に、下蓋兼用内側壁面板１２２Ｃが下方開口１３Ｃを閉塞しつつ前壁面板１１１Ｃの内面に沿って当該前壁面板１１１Ｃの上端縁まで上方へ折り返されていることにより、目立ち難い下方開口１３Ｃを開放させるのに手間を要して商品を抜き取る犯罪を未然に防止する上で非常に有利なものとなるのはもちろんのこと、下蓋兼用内側壁面板１２２Ｃと組立ケース主体１１Ｃの後壁面板１１３Ｃとの間に収容された商品を下蓋兼用内側壁面板１２２Ｃにより押さえて商品の位置ズレを効果的に抑制することもできる。
【００６９】
なお、本発明は、上記各実施の形態に限定されるものではなく、その他種々の変形例を包含している。例えば、上記各実施の形態では、後壁面板１１３Ａ〜１１３Ｃを第１壁面板として構成し、前壁面板１１１Ａ〜１１１Ｃを第２壁面板として構成したが、前壁面板が第１壁面板として構成され、後壁面板が第２壁面板として構成されていてもよい。この場合には、外側壁面板、内側壁面板又は下蓋兼用内側壁面板が組立ケース主体の後壁面板の外面又は内面に沿って上方に折り返されることになる。
【００７０】
また、上記第１の実施の形態では、後側突片３１に看板としての機能を備えさせたが、組立ケースを吊下するための吊下孔が後側突片に穿設されていてもよい。この場合、吊下孔は真円形状又は長孔形状などに適宜穿設され、商品を吊り下げて陳列することが可能となる。
【００７１】
また、上記各実施の形態では、透明プラスチックシートを打ち抜いて形成した打ち抜きシートＳＡ〜ＳＣを組み立てることによって組立ケース１Ａ〜１Ｃを得たが、紙シートを打ち抜いて形成した打ち抜きシートを組み立てることによって組立ケースが得られるようにしてもよい。この場合には、組立ケースの各壁面板並びに上蓋板及び下蓋板の外面に印刷が行われる。
【００７２】
更に、上記実施の形態では、糊代片１１５Ａ〜１１５Ｃを右壁面板１１４Ａ〜１１４Ｃの表面に両面粘着テープ１０Ａ〜１０Ｃで貼り合わせたが、糊代片が右壁面板の表面（外面）に接着剤で接着されていてもかまわないし、熱による熱融着により接着されていても構わない。
また、上記実施の形態では、各サイドフラップ１５Ａ〜１５Ｃ，１６Ａ〜１６Ｃが上方開口１４Ａ〜１４Ｃ及び下方開口１３Ａ〜１３Ｃを塞ぐように折罫部２７Ａ〜２７Ｃ，２８Ａ〜２８Ｃで折り曲げられたとき、その先端同士が互いに重なり合わない長さに形成したが、先端同士が互いに重なり合う長さにサイドフラップが形成されていてもよい。
【符号の説明】
【００７３】
１Ａ      組立ケース
１１Ａ    組立ケース主体
１１１Ａ  前壁面板（第２壁面板）
１１２Ａ  左壁面板
１１３Ａ  後壁面板（第１壁面板）
１１４Ａ  右壁面板
１２Ａ    組立ケース副体
１２１Ａ  下蓋板
１２３Ａ  上蓋板
１２２Ａ  外側壁面板
１２４Ａ  差込舌片
１３Ａ    下方開口
１４Ａ    上方開口
２１Ａ    折罫部
２３Ａ    基端側折罫部
２５Ａ    先端側折罫部
ｍＡ      軸線
１Ｂ      組立ケース
１１Ｂ    組立ケース主体
１１１Ｂ  前壁面板（第２壁面板）
１１２Ｂ  左壁面板
１１３Ｂ  後壁面板（第１壁面板）
１１４Ｂ  右壁面板
１２Ｂ    組立ケース副体
１２１Ｂ  下蓋板
１２３Ｂ  上蓋板
１２２Ｂ  内側壁面板
１２４Ｂ  差込舌片
１３Ｂ    下方開口
１４Ｂ    上方開口
２１Ｂ    折罫部
２３Ｂ    基端側折罫部
２５Ｂ    先端側折罫部
ｍＢ      軸線
１Ｃ      組立ケース
１１Ｃ    組立ケース主体
１１１Ｃ  前壁面板（第２壁面板）
１１２Ｃ  左壁面板
１１３Ｃ  後壁面板（第１壁面板）
１１４Ｃ  右壁面板
１２Ｃ    組立ケース副体
１２１Ｃ  上蓋板
１２２Ｃ  下蓋兼用内側壁面板
１２４Ｃ  差込舌片
１３Ｃ    下方開口
１４Ｃ    上方開口
２１Ｃ    折罫部
２３Ｃ    基端側折罫部
２５Ｃ    先端側折罫部
ｍＣ      軸線
【図１】
2012017126.tif 000003
【図２】
2012017126.tif 000004
【図３】
2012017126.tif 000005
【図４】
2012017126.tif 000006
【図５】
2012017126.tif 000007
【図６】
2012017126.tif 000008
【図７】
2012017126.tif 000009
【図８】
2012017126.tif 000010
【図９】
2012017126.tif 000011
【図１０】
2012017126.tif 000012
【図１１】
2012017126.tif 000013
【図１２】
2012017126.tif 000014
【図１３】
2012017126.tif 000015